(57)【要約】【課題】安価でより効率良く球面収差を補正すること等を可能とした情報処理装置及び収差補正方法等を提供する。【解決手段】本願は、レーザ光を記録媒体に照射し、当該記録媒体によって反射される反射光を受光することにより信号を読み取るピックアップ装置１を有する情報処理装置Ｓにおいて、前記ピックアップ装置１は、前記レーザ光の光軸上に配置され、前記光軸上を移動するコリメータレンズ１３と、前記レーザ光の光軸上に配置され、印加される電圧に基づいて屈折率が変化する液晶素子１２と、を備える。そして、前記情報処理装置Ｓは、コリメータレンズ１３を用いて球面収差を補正する第１制御と、液晶素子１２を用いて球面収差を補正する第２制御と、を行う制御部４を備え、制御部４は、前記第１制御と前記第２制御のいずれか一方の制御を行った後に、いずれか他方の制御を行う。【選択図】図１
2009054263.tif 000002
【特許請求の範囲】
【請求項１】
レーザ光を記録媒体に照射し、当該記録媒体によって反射される反射光を受光することにより信号を読み取るピックアップ装置を有する情報処理装置において、
前記ピックアップ装置は、
前記レーザ光の光軸上に配置され、前記光軸上を移動する移動レンズと、
前記レーザ光の光軸上に配置され、印加される電圧に基づいて屈折率が変化する液晶素子と、を備え、前記情報処理装置は、
前記移動レンズを用いて球面収差を補正する第１制御と、
前記液晶素子を用いて球面収差を補正する第２制御と、を行う補正制御手段を備え、
前記補正制御手段は、前記第１制御と前記第２制御のいずれか一方の制御を行った後に、いずれか他方の制御を行うことを特徴とする情報処理装置。
【請求項２】
請求項１に記載の情報処理装置において、
前記補正制御手段は、前記第１制御を行った後に、前記第２制御を行うことを特徴とする請求項１に記載の情報処理装置。
【請求項３】
請求項１に記載の情報処理装置において、
前記補正制御手段は、前記液晶素子に電圧を印加することにより前記第２制御を行い、当該電圧の変化量が閾値以上になったときに、前記第１制御を行うことを特徴とする請求項１に記載の情報処理装置。
【請求項４】
請求項１乃至３に記載の情報処理装置において、
前記補正制御手段からの指令に従って前記移動レンズを駆動する駆動手段をさらに備え、
当該駆動手段は、ＤＣモータにより構成されることを特徴とする請求項１乃至３の何れか一項に記載の情報処理装置。
【請求項５】
請求項１乃至４に記載の情報処理装置において、
前記補正制御手段は、前記ピックアップ装置により読み取られた信号から得られるパラメータ値が最良となるように前記第１制御又は前記第２制御を行うことを特徴とする請求項１乃至４の何れか一項に記載の情報処理装置
【請求項６】
前記レーザ光の光軸上に配置され前記光軸上を移動する移動レンズと、前記レーザ光の光軸上に配置され印加される電圧に基づいて屈折率が変化する液晶素子とを備え、レーザ光を記録媒体に照射し、当該記録媒体によって反射される反射光を受光することにより信号を読み取るピックアップ装置を用いて球面収差を補正する球面収差補正方法であって、
前記移動レンズを用いて球面収差を補正する第１制御工程と、
前記液晶素子を用いて球面収差を補正する第２制御工程とを行う補正制御工程を備え、
前記補正制御工程は、前記第１制御工程と前記第２制御工程のいずれか一方の制御工程を行った後に、いずれか他方の制御工程を行うことを特徴とする球面収差補正方法。
【請求項７】
前記レーザ光の光軸上に配置され前記光軸上を移動する移動レンズと、前記レーザ光の光軸上に配置され印加される電圧に基づいて屈折率が変化する液晶素子とを備え、レーザ光を記録媒体に照射し、当該記録媒体によって反射される反射光を受光することにより信号を読み取るピックアップ装置を用いて球面収差を補正するコンピュータを、
前記移動レンズを用いて球面収差を補正する第１制御と、
前記液晶素子を用いて球面収差を補正する第２制御を行う補正制御手段として機能させ、
前記補正制御手段が、前記第１制御と前記第２制御のいずれか一方の制御を行った後に、いずれか他方の制御を行うように機能させることを特徴とする球面収差補正プログラム。
【請求項８】
請求項７に記載の収差補正プログラムがコンピュータ読み取り可能に記録されていることを特徴とする記録媒体。
【発明の詳細な説明】
【技術分野】
【０００１】
本願は、ピックアップ装置を備える情報処理装置等の技術分野に関する。
【背景技術】
【０００２】
Ｂｌｕ−ｒａｙ ＤＩＳＣ（以下、「ＢＤ」という）、ＨＤ−ＤＶＤ等の記録密度が高い光ディスクの再生又は記録を行う情報再生記録装置では、開口数（ＮＡ）が大きい対物レンズが採用されている。開口数が大きい対物レンズを用いて多層ディスクを再生又は記録する場合、多層ディスクのディスク厚さ変化（言い換えれば、多層ディスクの樹脂層の厚さ違い）に起因して生じる球面収差によって、光ディスクの再生又は記録ができなくなってしまうため、従来は、例えばコリメータレンズ等のレンズを移動させ焦点距離を調節することにより、当該球面収差を補正して再生又は記録を行っていた。
【０００３】
また、特許文献１には、液晶素子のみを用いて球面収差を補正する技術も開示されている。
【特許文献１】特開２００５−２６６４８３号公報
【発明の開示】
【発明が解決しようとする課題】
【０００４】
しかしながら、コリメータレンズ等のレンズ駆動により球面収差を補正する方法では、駆動源としてモータ等を用い機械的にレンズを動かすため、振動等の外乱が発生し、製品性能の悪化につながり、さらに、駆動源を設置するスペースが必要となるという問題があった。加えて、レンズ駆動により球面収差を補正する方法では、高精度の位置決め制御が要求されるため、駆動源として高価なステッピングモータが必要となり、さらに、当該モータ等を制御するための制御回路や制御ソフトウェアの負担も大きくなるという問題もあった。
【０００５】
一方、液晶素子のみを用いて球面収差を補正する方法では、補正可能範囲が狭く、上述したような多層ディスクの再生又は記録時において球面収差を補正しきれないという問題があった。
【０００６】
そこで、本願は、このような問題の解消を課題の一つとし、安価でより効率良く球面収差を補正すること等を可能とした情報処理装置及び収差補正方法等を提供することを目的とする。
【課題を解決するための手段】
【０００７】
上記課題を解決するため、請求項１に記載の情報処理装置の発明は、レーザ光を記録媒体に照射し、当該記録媒体によって反射される反射光を受光することにより信号を読み取るピックアップ装置を有する情報処理装置において、前記ピックアップ装置は、前記レーザ光の光軸上に配置され、前記光軸上を移動する移動レンズと、前記レーザ光の光軸上に配置され、印加される電圧に基づいて屈折率が変化する液晶素子と、を備え、前記情報処理装置は、前記移動レンズを用いて球面収差を補正する第１制御と、前記液晶素子を用いて球面収差を補正する第２制御と、を行う補正制御手段を備え、前記補正制御手段は、前記第１制御と前記第２制御のいずれか一方の制御を行った後に、いずれか他方の制御を行うことを特徴とする。
【０００８】
請求項６に記載の球面収差方法の発明は、前記レーザ光の光軸上に配置され前記光軸上を移動する移動レンズと、前記レーザ光の光軸上に配置され印加される電圧に基づいて屈折率が変化する液晶素子とを備え、レーザ光を記録媒体に照射し、当該記録媒体によって反射される反射光を受光することにより信号を読み取るピックアップ装置を用いて球面収差を補正する球面収差補正方法であって、前記移動レンズを用いて球面収差を補正する第１制御工程と、前記液晶素子を用いて球面収差を補正する第２制御工程とを行う補正制御工程を備え、前記補正制御工程は、前記第１制御工程と前記第２制御工程のいずれか一方の制御工程を行った後に、いずれか他方の制御工程を行うことを特徴とする。
【０００９】
請求項７に記載の球面収差補正プログラムの発明は、前記レーザ光の光軸上に配置され前記光軸上を移動する移動レンズと、前記レーザ光の光軸上に配置され印加される電圧に基づいて屈折率が変化する液晶素子とを備え、レーザ光を記録媒体に照射し、当該記録媒体によって反射される反射光を受光することにより信号を読み取るピックアップ装置を用いて球面収差を補正するコンピュータを、前記移動レンズを用いて球面収差を補正する第１制御と、前記液晶素子を用いて球面収差を補正する第２制御を行う補正制御手段として機能させ、前記補正制御手段が、前記第１制御と前記第２制御のいずれか一方の制御を行った後に、いずれか他方の制御を行うように機能させることを特徴とする。
【発明を実施するための最良の形態】
【００１０】
以下、本願の最良の実施形態を添付図面に基づいて説明する。なお、以下に説明する実施の形態は、記録媒体の一例としての光ディスクに記録された情報を再生する情報再生装置に対して本願を適用した場合の実施形態である。なお、光ディスクの再生又は記録を可能とした情報再生記録装置に対して適用してもよい。
【００１１】
先ず、図１等を参照して、本実施形態に係る情報再生装置の構成及び機能を説明する。
【００１２】
図１は、本実施形態に係る情報再生装置の概要構成例を示す図である。
【００１３】
図１に示すように、情報再生装置Ｓは、ピックアップ装置１、再生処理部２、外部出力処理部３、制御部４、レンズ駆動回路５、及び液晶素子駆動回路６等を備えて構成されている。
【００１４】
なお、情報再生装置Ｓにおける所定位置に載置された光ディスクＤを回転駆動させるスピンドルモータ、ピックアップ装置１を光ディスクＤにおける所定の読取位置まで移動させるキャリッジ、レーザダイオードのレーザ光の強度を制御するレーザ駆動回路、及びスピンドルモータ，キャリッジ及びピックアップ装置１におけるアクチュエータをサーボ制御するサーボ制御回路については図示を省略している。また、本実施形態では、光ディスクＤの例として、ＢＤ、又はＨＤ−ＤＶＤ等が挙げられる。
【００１５】
ピックアップ装置１は、光ディスクＤにレーザ光を照射し、当該光ディスクＤによって反射される反射光を受光することにより信号を読み取るようになっている。
【００１６】
より具体的に、ピックアップ装置１は、対物レンズ１１、レーザ光の光軸上に配置され印加される電圧に基づいて屈折率が変化する液晶素子１２、レーザ光の光軸上に配置され当該光軸上を移動する移動レンズの一例としてのコリメータレンズ１３、制御部４からの指令に従ってコリメータレンズ１３を駆動する駆動手段としてのＤＣモータ１８及び駆動機構１９、ビームスプリッタ（プリズム）１４、マルチレンズ１５、受光素子１６、及び光ディスクＤに適した波長のレーザ光を出射するレーザダイオード１７等を備えて構成されている。
【００１７】
このようなピックアップ装置１の構成において、レーザダイオード１７からレーザ光が出射された場合、その光はビームスプリッタ１４により反射され、コリメータレンズ１３により略平行光にされ、液晶素子１２を透過し、対物レンズ１１に入射する。そして、対物レンズ１１に入射した光は、光ディスクＤの記録面に集光される。
【００１８】
また、光ディスクＤから反射された反射光は、液晶素子１２、コリメータレンズ１３、及びビームスプリッタ１４を透過し、マルチレンズ１５を介して、受光素子１６により受光される。そして、受光された光の強度に応じたＲＦ（Radio Frequency）信号がＲＦアンプ（図示せず）によって所定のレベルまで増幅され再生処理部２に出力されることになる。
【００１９】
ここで、液晶素子１２は、例えば透明電極を所定の形状に分割し、液晶素子駆動回路６の作用によって各分割部分に電圧を印加することにより、各分割部分の屈折率を変えて通過光線（レーザダイオード１７から出射されるレーザ光）に位相差を与えることにより、ディスクの厚みばらつきや、ピックアップ使用環境温度で発生するピックアップ自身の球面収差を補正する機能をもつ。
【００２０】
図２は、液晶素子に用いられる透明電極の球面収差補正パターンの一例を示す図である。球面収差が発生した場合、その収差を補正するために、ある仮想基準電圧を基準として、（Ａ）と（Ｂ）をシーソー状態となる電圧を加える。それにより、（Ａ）と（Ｂ）の屈折率が仮想基準電圧に対して夫々プラスマイナスに変化し、位相差が生まれる。これにより、液晶素子を透過する光の光路が補正され、球面収差が補正される。
【００２１】
一方、コリメータレンズ１３は、レンズ駆動回路５、駆動機構１９及びＤＣモータ１８の作用により光軸方向に移動する。これにより、レーザ光の焦点距離が調節され、球面収差が補正される。
【００２２】
次に、再生処理部２は、ピックアップ装置１からのＲＦ信号に対して所定の復調処理、誤り訂正処理、及びデコード処理等を施して、ディジタル信号（オーディオ信号及びビデオ信号等）に変換し、当該ディジタル信号を外部出力処理部３に出力する。外部出力処理部３は、再生処理部２からのディジタル信号に係るオーディオ信号をスピーカに出力、及びディジタル信号に係るビデオ信号をディスプレイに出力するための処理を行う。なお、かかる処理については公知であるので詳しい説明は省略する。また、再生処理部２は、ＲＦ信号から得られる情報（例えば、ＲＦレベル）を制御部４に出力するようになっている。
【００２３】
制御部４は、ＣＰＵ、各種データ及びプログラムを記憶するＲＯＭ、作業用ＲＡＭ等を備えて構成されており、ＣＰＵが上記プログラムを実行することにより、情報再生装置Ｓ全体を統括制御して光ディスクＤの再生制御を行うと共に、本願の補正制御手段として機能するようになっている。補正制御手段としての制御部４は、コリメータレンズ１３を用いて球面収差を補正する第１制御と、液晶素子１２を用いて球面収差を補正する第２制御とを行うようになっており、第１制御と第２制御のいずれか一方の制御を行った後に、いずれか他方の制御を行う。つまり、２段階で球面収差が補正される。
【００２４】
上記第１制御では、制御部４がレンズ駆動回路５へ指令を与えてＤＣモータ１８及び駆動機構１９を駆動制御し、コリメータレンズ１３を駆動させる（つまり、光軸方向に移動させる）ことにより球面収差の補正を行うようになっている。一方、上記第２制御では、制御部４が液晶素子駆動回路６へ指令を与えて液晶素子１２への印加電圧を制御することにより球面収差を補正するようになっている。例えば、制御部４が光ディスクＤの再生制御を行い、ピックアップ装置１により読み取られた信号から得られるパラメータとしてのＲＦレベルやジッタ等が最良（例えば、ＲＦレベルの場合のその値が極値（例えば最大）、ジッタの場合その値が極値（例えば最小））となるように（つまり、ピックアップ装置１の性能が最良）上記第１制御又は上記第２制御を行うことで、球面収差の補正が実行されることになる。
【００２５】
このような第１制御と第２制御の組合せにより、より効率良く球面収差を補正することが可能となる。例えば、光ディスクＤの再生のセットアップ時には、初期値として生産時に記録しておいたコリメータレンズの最適位置に、第１制御によりコリメータレンズ１３を移動させるが、第２制御は行わずに（つまり、液晶素子１２による球面収差の補正無し状態で中間値に設定しておく）、フォーカスクローズ及びトラッキングクローズを行う。そして、例えば、光ディスクＤの通常再生時には、コリメータレンズ１３の位置を固定させておき、常にＲＦレベルを確認しながら、当該ＲＦレベルが最大になるように第２制御を行って液晶素子１２による球面収差補正量（以下、「液晶素子収差補正量」という）を変化（印加電圧を変化）させて球面収差を補正する。さらに、液晶素子収差補正量が、ある一定の値（閾値）を超えた（又は達した）場合には、第１制御よりコリメータレンズ１３を、液晶素子収差補正量が減少する方向に移動させる。
【００２６】
次に、図３及び図４等を参照して、情報再生装置Ｓにおける球面収差の補正に係る動作例を説明する。
【００２７】
なお、以下の動作例においては、光ディスクＤの再生のセットアップ時の動作と、光ディスクＤの通常再生時の動作とを分けて説明する。
【００２８】
＜光ディスクＤの再生のセットアップ時の動作＞
先ず、図３を参照して、光ディスクＤの再生のセットアップ時の動作について説明する。
【００２９】
図３は、制御部４のセットアップ処理を示すフローチャートである。
【００３０】
図３に示すセットアップ処理が開始されると、制御部４は、各種初期設定を行う（ステップＳ１）。このとき、液晶素子１２による球面収差の補正は、中間値（すなわち、補正をしない状態）に設定される。
【００３１】
次いで、制御部４は、コリメータレンズ１３が、初期値として情報再生装置Ｓの生産（製造）時に例えばＲＯＭに記録しておいたコリメータレンズの最適位置になるように制御（コリメータレンズの初期位置設定制御）する（ステップＳ２）。これにより、コリメータレンズ１３の初期位置が設定される。ここで、上記初期値は、例えば情報再生装置Ｓの製造工程において、光ディスクＤを再生した場合にピックアップ装置１により読み取られた信号から得られるＲＦレベルやジッタ等が最良となる値を求めることにより得られる値である。なお、このステップＳ２において、上述した第１制御を行うことによりコリメータレンズ１３の初期位置を設定するように構成しても良い。
【００３２】
次いで、制御部４は、フォーカスクローズのための制御を行い（ステップＳ３）、続いて、トラッキングクローズのための制御を行い（ステップＳ４）、当該処理を終了する（再生に移行）。
【００３３】
＜光ディスクＤの通常再生時の動作＞
次に、図４乃至図６を参照して、光ディスクＤの通常再生時の動作について説明する。
【００３４】
図４は、通常再生時における制御部４の球面収差補正処理を示すフローチャートである。また、図５は、ＲＦレベルによる球面収差調整イメージを示す概念図である。また、図６は、液晶素子収差補正量が規定値を超えた場合に、第１制御が行われる様子を示す概念図である。
なお、図４に示す処理は、上記セットアップ処理が終了し、光ディスクＤの再生制御が行われている間に、所定間隔（例えば、５分間隔）で実行される。この所定間隔は、任意に設定可能であり、例えば情報再生装置Ｓにおける温度上昇等でレンズが膨張したり、レーザ光の波長が変化することにより、球面収差が発生することを考慮して決定することができる。
【００３５】
図４に示す球面収差補正処理が開始されると、制御部４は、ピックアップ装置１により読み取られた信号から得られる現在のＲＦレベルを確認し（ステップＳ１１）、このＲＦレベルを“ＲＦ０”として記憶する（なお、ＲＦ０は、当該処理の進行にしたがって上書される）。
【００３６】
次いで、制御部４は、上述した第２制御を行うことにより、液晶素子駆動回路６へ指令を与えて液晶素子１２に印加する電圧を変化させ、液晶素子収差補正量を＋（プラス）側（液晶素子収差補正量が増加する方向、具体的には、液晶素子１２に印加する電圧を増加させる方向）に１ステップシフトさせ（ステップＳ１２）、このときのＲＦレベルを“ＲＦ＋”として記憶する（なお、ＲＦ＋は、当該処理の進行にしたがって上書される）。例えば、図５（Ｂ）において、（イ）の矢印方向に液晶素子収差補正量がシフトされる。
【００３７】
次いで、制御部４は、液晶素子収差補正量（つまり、当該処理の開始からの印加電圧の変化量であり、トータルの補正量）が閾値としての規定値を超えたか否かを判断する（ステップＳ１３）。そして、液晶素子収差補正量が規定値を超えた場合（ステップＳ１３：ＹＥＳ）、例えば、図６（Ａ）において、印加電圧の変化量が補正電圧Ｘを超えた場合には、ステップＳ１４に進み、液晶素子収差補正量が規定値を超えない場合には（ステップＳ１３：ＮＯ）、ステップＳ１５に進む。
【００３８】
ここで、閾値としての規定値は、例えば、液晶素子１２による球面収差補正量の限界（印加電圧の最大値）に設定することもできるし、他の任意の値に設定しても良い。
【００３９】
ステップＳ１４では、制御部４は、上述した第１制御を行うことにより、レンズ駆動回路５へ指令を与えてＤＣモータ１８及び駆動機構１９を駆動制御し、例えば、図６（Ａ），（Ｂ）に示すように、補正電圧Ｘ（上記規定値）に相当する分（補正電圧Ｘが減少し“０”になるように）、コリメータレンズ１３を移動させ、ステップＳ１１に戻る。つまり、液晶素子１２による球面収差の補正を中間値（すなわち、補正をしない状態）にさせる。これにより、液晶素子１２による球面収差の補正可能な範囲を広げることができる。また、液晶素子収差補正量が規定値を超えるまでは、コリメータレンズ１３による球面収差の補正は行われないので、コリメータレンズ１３を動かすことにより生じる振動等の外乱の発生を防止することができる。
【００４０】
一方、ステップＳ１５では、制御部４は、上記記憶したＲＦレベルの比較（つまり、ＲＦ０とＲＦ＋の比較）を行い、ＲＦ０がＲＦ＋より大きいか否かを判断する。ＲＦ０がＲＦ＋より大きくない（つまり、液晶素子収差補正量のシフト前のＲＦレベルの方が小さい）場合には（ステップＳ１５：ＮＯ）、ステップＳ１１に戻り、上記と同様の処理が行われる。これにより、液晶素子収差補正量が少しずつ変化される。一方、ＲＦ０がＲＦ＋より大きい場合（ステップＳ１５：ＹＥＳ）、例えば、図５（Ｂ）に示すように、液晶素子収差補正量が位置Ｙに至り、ＲＦレベルが最大となる液晶素子収差補正量を超えてしまった場合には、ステップＳ１６に進む。
【００４１】
ステップＳ１６では、制御部４は、ステップＳ１１と同様、ピックアップ装置１により読み取られた信号から得られる現在のＲＦレベルを確認し、このＲＦレベルを“ＲＦ０”として記憶する。
【００４２】
次いで、制御部４は、上述した第２制御を行うことにより、液晶素子駆動回路６へ指令を与えて液晶素子１２に印加する電圧を変化させ、液晶素子収差補正量を−（マイナス）側（液晶素子収差補正量が減少する方向、具体的には、液晶素子１２に印加する電圧を減少させる方向）に１ステップシフトさせ（ステップＳ１７）、このときのＲＦレベルを“ＲＦ−”として記憶する（なお、ＲＦ−は、当該処理の進行にしたがって上書される）。例えば、図５（Ｂ）において、（二）の矢印方向に液晶素子収差補正量がシフトされる。
【００４３】
次いで、制御部４は、ステップＳ１３と同様、液晶素子収差補正量が閾値としての規定値を超えたか否かを判断する（ステップＳ１８）。そして、液晶素子収差補正量が規定値を超えた場合には（ステップＳ１８：ＹＥＳ）、ステップＳ１４に進み上記と同様の処理を行い、液晶素子収差補正量が規定値を超えない場合には（ステップＳ１８：ＮＯ）、ステップＳ１９に進む。
【００４４】
ステップＳ１９では、制御部４は、上記記憶したＲＦレベルの比較（つまり、ＲＦ０とＲＦ−の比較）を行い、ＲＦ０がＲＦ−より大きいか否かを判断する。ＲＦ０がＲＦ−より大きくない場合には（ステップＳ１９：ＮＯ）、ステップＳ１６に戻り、上記と同様の処理が行われる。一方、ＲＦ０がＲＦ−より大きい場合（ステップＳ１９：ＹＥＳ）、制御部４は、液晶素子駆動回路６へ指令を与えて液晶素子１２に印加する電圧を変化させ、液晶素子収差補正量を＋（プラス）側に１ステップシフトさせ（ステップＳ２０）、当該処理を終了する。
【００４５】
以上の処理により、液晶素子収差補正量が少しずつ変化されＲＦレベルが最大となるポイントが探索されつつ、当該液晶素子収差補正量が規定値を超えた場合には、液晶素子１２による球面収差の補正を中間値（すなわち、補正をしない状態）にさせるように、コリメータレンズ１３が移動される。
【００４６】
なお、上記動作例においては、液晶素子収差補正量の最良位置を把握するために、ＲＦレベルを確認するように構成したが、これとは別に、ジッタを確認してその値が最小となるように液晶素子１２による球面収差の補正を行っても良い。
【００４７】
以上説明したように、上記実施形態によれば、コリメータレンズ１３を用いて球面収差を補正する第１制御と、液晶素子１２を用いて球面収差を補正する第２制御と、を行う制御部４が、当該第１制御と当該第２制御のいずれか一方の制御を行った後に、いずれか他方の制御を行うように構成したので、安価でより効率良く球面収差を補正することができる。例えば、第１制御によりコリメータレンズ１３を移動させて粗調整を行い、第２制御により液晶素子１２で微調整を行うという役割分担が可能となり、したがって、コリメータレンズ１３を動かすことにより生じる振動等の外乱の発生を防止することができ、これにより、頻繁に球面収差を確認、補正ができ、例えば情報再生装置Ｓの温度上昇等でレンズが膨張したり、レーザ光の波長が変化することにより発生した球面収差に関しても、メカニカルな移動を最小限とした、球面収差補正がリアルタイムに可能となる。
【００４８】
また、コリメータレンズ１３の球面収差の補正と、液晶素子による球面収差の補正とを組み合わせることにより、補正可能な範囲を広げることができる。さらに、液晶素子１２による球面収差の補正量が規定値を越えた場合にコリメータレンズ１３の球面収差を補正することにより、サーボに外乱を与えるメカニカルなコリメータレンズ１３の駆動が少なくて済み、すなわち、上述のように、コリメータレンズ１３を駆動させるためのＤＣモータ１８等による振動等の外乱を起こす機械的な移動を必要とせず、また、コリメータレンズ１３を駆動させるためのスペースが少なくてすむため、製品の小型化に貢献することができる。
【００４９】
加えて、従来のコリメータレンズのみを用いた球面収差補正では、高精度の位置決めが要求されるため、駆動源には高価なパルスモータ（ステッピングモータ）が用いられていたが、上記実施形態では、コリメータレンズ１３を移動させ固定した後、液晶素子１２により球面収差補正を行うことにより（すなわち、第１制御を行った後に第２制御を行う）、コリメータレンズ１３の駆動に用いるモータは高い精度の必要が無くなり、安価なＤＣモータを使用することが可能となり、よって、コストダウンにつながり、また、モータ等を制御するための制御回路や制御ソフトウェアの負担軽減にもつながる。
【図面の簡単な説明】
【００５０】
【図１】本実施形態に係る情報再生装置の概要構成例を示す図である。
【図２】液晶素子に用いられる透明電極の球面収差補正パターンの一例を示す図である。
【図３】制御部４のセットアップ処理を示すフローチャートである。
【図４】通常再生時における制御部４の球面収差補正処理を示すフローチャートである。
【図５】ＲＦレベルによる球面収差調整イメージを示す概念図である。
【図６】液晶素子収差補正量が規定値を超えた場合に、第１制御が行われる様子を示す概念図である。
【符号の説明】
【００５１】
１  ピックアップ装置
２  再生処理部
３  外部出力処理部
４  制御部
５  レンズ駆動回路
６  液晶素子駆動回路
１１  対物レンズ
１２  液晶素子
１３  コリメータレンズ
１４  ビームスプリッタ
１５  マルチレンズ
１６  受光素子
１７  レーザダイオード
１８  ＤＣモータ
１９  駆動機構
Ｓ  情報再生装置
【図１】
2009054263.tif 000003
【図２】
2009054263.tif 000004
【図３】
2009054263.tif 000005
【図４】
2009054263.tif 000006
【図５】
2009054263.tif 000007
【図６】
2009054263.tif 000008